(57)【要約】【課題】  プラスチック製パイプの外径のばらつきに対応でき、かつ、継ぎ手と接着不能な材料からなるパイプであっても連結することのできる管継ぎ手装置を得る。【解決手段】  プラスチック製のパイプ１１，１１を直列に連結するための管継ぎ手装置であって、プラスチック製の継ぎ手本体２０と粘着剤２５とバンド部材３０とで構成されている。継ぎ手本体２０はパイプ１１の端部が挿入可能な内径を有し、両端部に複数本のスリット２１が軸方向に形成されている。粘着剤２５はパイプ１１の端部外周面と継ぎ手本体２０の内周面との間に充填されている。バンド部材３０は継ぎ手本体２０の端部外周面を締め付けてパイプ１１と継ぎ手本体２０とを固定する。【選択図】  図１
2005248622.tif 000002
【特許請求の範囲】
【請求項１】
プラスチック製のパイプを直列に連結するための管継ぎ手装置であって、
前記パイプの端部が挿入可能な内径を有し、両端部に少なくとも一つのスリットが軸方向に形成されたプラスチック製の継ぎ手本体と、
前記パイプの端部外周面と前記継ぎ手本体の内周面との間に充填された粘着剤と、
前記継ぎ手本体の端部外周面を締め付ける締付け部材と、
を備えたことを特徴とする管継ぎ手装置。
【請求項２】
前記継ぎ手本体の中央部の内周面に前記パイプの端部を止めるストッパ部を有することを特徴とする請求項１に記載の管継ぎ手装置。
【請求項３】
前記継ぎ手本体が透明なプラスチック材料からなることを特徴とする請求項１又は請求項２に記載の管継ぎ手装置。
【発明の詳細な説明】
【技術分野】
【０００１】
本発明は、管継ぎ手装置、特に、プラスチック製パイプを直列に連結するためのプラスチック製の管継ぎ手装置に関する。
【背景技術】
【０００２】
近年、橋梁等のコンクリート構造物の構築には、高耐久構造とするために、鋼材を張り渡してプレストレスを与えるＰＣ工法が盛んに採用されている。図４に示すように、ＰＣ工法の外ケーブル構造で用いられるＰＣ鋼材１０は、複数の単線あるいは撚線を合わせてシースパイプ１１に挿入され、該シースパイプ１１の内部には防錆材としてのグラウト材１２（例えば、セメントペースト）が圧入／充填されている。
【０００３】
この種のシースパイプとしては、従来からある鋼製のものに代えて、海水や潮風に対する耐腐食性能が高く、かつ、グラウト材充填時の内圧に耐える耐圧性能の高いプラスチック製のものが提供されている（特許文献１，２参照）。プラスチック製のシースパイプにあっては、透明な材料を選択することにより、グラウト材の充填具合や空気の侵入を判別できる利点を有している。透明なプラスチック材料としては、特許文献２に記載されているアイオノマー樹脂を主成分とするものが好ましい。
【０００４】
ところで、プラスチック製のパイプを直列に連結する際に使用される管継ぎ手であるが、従来、特許文献３に記載のものが提供されていた。しかし、この管継ぎ手は、径方向に２分割された殻体を結合してねじ止めする構造であるため、必ずしも良好な作業性を備えたものではなかった。
【０００５】
そこで、通常は、シースパイプの管継ぎ手として、透明な硬質塩化ビニル樹脂、アクリル樹脂等の硬質樹脂製の管継ぎ手を使用していた。即ち、シースパイプの端部外周面と管継ぎ手の内周面とを接着剤で接合するようにしていた。
【０００６】
しかし、この種の管継ぎ手ではシースパイプの外径の寸法的なばらつきを吸収することができず、パイプの端部を管継ぎ手に挿入する作業が困難な場合があった。また、シースパイプの材料を好ましいアイオノマー樹脂とすると、硬質樹脂からなる管継ぎ手は接着できないという問題点を有していた。
【特許文献１】特開２００１−２０４５６号公報
【特許文献２】特開２００３−１３０２５９号公報
【特許文献３】特開２００２−１９５４８１号公報
【発明の開示】
【発明が解決しようとする課題】
【０００７】
そこで、本発明の目的は、プラスチック製パイプの外径のばらつきに対応でき、かつ、継ぎ手と接着不能な材料からなるパイプであっても連結することのできる管継ぎ手装置を提供することにある。
【課題を解決するための手段】
【０００８】
以上の目的を達成するため、本発明は、プラスチック製のパイプを直列に連結するための管継ぎ手装置であって、前記パイプの端部が挿入可能な内径を有し、両端部に少なくとも一つのスリットが軸方向に形成されたプラスチック製の継ぎ手本体と、前記パイプの端部外周面と前記継ぎ手本体の内周面との間に充填された粘着剤と、前記継ぎ手本体の端部外周面を締め付ける締付け部材と、を備えたことを特徴とする。
【０００９】
以上の構成からなる管継ぎ手装置においては、継ぎ手本体の両端部に少なくとも一つのスリットが軸方向に形成されているため、このスリットの拡がりや縮小によって、パイプの外径の寸法的なばらつきを吸収することができ、パイプ端部の挿入作業が容易になる。
【００１０】
また、締付け部材によって継ぎ手本体の両端部外周面を締め付けるため、十分な連結強度を保持することができる。特に、パイプがアイオノマー樹脂からなる場合に、それと接着できない硬質樹脂からなる継ぎ手本体であっても連結でき、ＰＣ工法で使用されるシースパイプの管継ぎ手装置として最適である。
【００１１】
さらに、パイプの端部外周面と継ぎ手本体の内周面との間には粘着剤が充填されているため、パイプ内部の密閉性を確保でき、シースパイプに挿入されているＰＣ鋼材の腐食防止に有効である。
【００１２】
本発明に係る管継ぎ手装置にあっては、継ぎ手本体の中央部の内周面にパイプの端部を止めるストッパ部を有することが好ましい。パイプの挿入位置を正確に位置決めすることができる。
【００１３】
また、継ぎ手本体が透明なプラスチック材料からなることが好ましい。ＰＣ工法で使用されるシースパイプの管継ぎ手とした場合に、該シースパイプへのグラウト材の充填具合を目視により判別する作業を損なうことがない。
【発明を実施するための最良の形態】
【００１４】
以下、本発明に係る管継ぎ手装置の実施形態について、添付図面を参照して説明する。
【００１５】
図１に示す管継ぎ手装置は、プラスチック製のシースパイプ１１，１１を直列に連結するためのものであり、プラスチック製の継ぎ手本体２０と、シースパイプ１１と継ぎ手本体２０との間に充填された粘着剤２５と、継ぎ手本体２０の両端部を締め付けるバンド部材３０，３０とで構成されている。
【００１６】
シースパイプ１１は、背景技術に記載したように、ＰＣ工法に使用されるものであり、アイオノマー樹脂を主成分とした透明パイプである。
【００１７】
継ぎ手本体２０は、硬質の透明なアクリル樹脂からなるスリーブ状のもので、シースパイプ１１の端部が挿入可能な内径を有し、図２に示すように、両端部に複数本のスリット２１が軸方向に形成されている。また、中央部の内周面にはストッパ部２２がリング状に形成されている。このストッパ部２２は、継ぎ手本体２０に挿入されるシースパイプ１１，１１の端部の位置決めを行う。
【００１８】
粘着剤２５はシースパイプ１１，１１の端部の密閉性を確保するためのもので、例えば、無溶剤系の一液湿気硬化型粘着剤が使用される。
【００１９】
バンド部材３０は耐食性を有する、例えば、ステンレス製のもので、図３に示すように、バンド３１の一端部に設けたナット部３２に、バンド３１の他端部に設けた突起３３を介してねじ３４を螺着することにより、継ぎ手本体２０の両端部を適度な力で締め付ける。
【００２０】
ここで、前記管継ぎ手装置を用いてシースパイプを連結する手順について説明する。まず、継ぎ手本体２０の内周面全体に粘着剤２５を塗布する。一方のシースパイプ１１の端部全外周面にも粘着剤２５を塗布し、該シースパイプ１１をその端部がストッパ部２２に当たるまで継ぎ手本体２０の一端に挿入する。そして、バンド部材３０にて継ぎ手本体２０の端部を締め付ける。
【００２１】
他方のシースパイプ１１に関しても前記同様の手順で継ぎ手本体２０の他端に挿入し、バンド部材３０にて継ぎ手本体２０の端部を締め付ける。なお、バンド部材３０，３０はシースパイプ１１，１１を継ぎ手本体２０に挿入する前に、継ぎ手本体２０の外周面に取り付けておく必要がある。
【００２２】
本実施形態においては、継ぎ手本体２０の両端部に複数本のスリット２１が軸方向に形成されており、シースパイプ１１の外径が寸法的にばらついていても、スリット２１の拡がりや縮小によって外径のばらつきが吸収され、パイプ端部の挿入作業が容易になる。また、継ぎ手本体２０の中央部の内周面にストッパ部２２を有するため、シースパイプ１１の挿入位置を正確に位置決めすることができる。
【００２３】
また、バンド部材３０によって継ぎ手本体２０の両端部外周面（スリット２１を形成した部分）を締め付けるため、継ぎ手本体２０に収縮が生じ、十分な連結強度を得ることができる。特に、シースパイプ１１がアイオノマー樹脂からなる場合に、継ぎ手本体２０がそれと接着できないアクリル樹脂や硬質塩化ビニル樹脂等の硬質樹脂からなる場合であっても連結でき、ＰＣ工法で使用されるシースパイプ１１の管継ぎ手装置として最適である。
【００２４】
さらに、シースパイプ１１の端部外周面と継ぎ手本体２０の内周面との間には粘着剤２５が充填されているため、シースパイプ１１内部の密閉性を確保でき、シースパイプ１１に挿入されているＰＣ鋼材の腐食防止に効果的である。
【００２５】
また、継ぎ手本体２０が透明なプラスチック材料からなるため、シースパイプ１１へのグラウト材の充填具合を目視により判別する作業を損なうことがない。
【００２６】
なお、本発明に係る管継ぎ手装置は前記実施例に限定するものではなく、その要旨の範囲内で種々に変更できる。
【００２７】
特に、締付け部材としては前記実施例に示したバンド部材３０以外に種々の形態の締付け部材を使用することができる。また、継ぎ手本体の細部の構成、形状などは任意である。例えば、スリット２１は複数本でなく１箇所のみにあってもよい。
【図面の簡単な説明】
【００２８】
【図１】本発明に係る管継ぎ手装置によってシースパイプを連結した状態を示す一部を切り欠いた正面図である。
【図２】前記管継ぎ手装置を構成する継ぎ手本体を示す斜視図である。
【図３】前記管継ぎ手装置を構成するバンド部材を示す正面図である。
【図４】ＰＣ鋼材をシースパイプに挿入してグラウト材を充填した状態を示す断面図である
【符号の説明】
【００２９】
１１…シースパイプ
２０…継ぎ手本体
２１…スリット
２２…ストッパ部
２５…粘着剤
３０…バンド部材
【図１】
2005248622.tif 000003
【図２】
2005248622.tif 000004
【図３】
2005248622.tif 000005
【図４】
2005248622.tif 000006